Podtech/llm-jp-corpus-v4-ja_patent huggingface dataset:
(57)【要約】【課題】傷のつきにくいシャフトを備えたゴルフクラブを提供すること。【解決手段】パイプ状の金属材料から構成され、表面にメッキ層を形成したシャフト１を備えたゴルフクラブにおいて、前記シャフトに炭素を主成分としたアモルファス構造体からなるダイヤモンドライクカーボン膜３を形成したことを特徴とするゴルフクラブである。【選択図】図１
2009022448.tif 000002
【特許請求の範囲】
【請求項１】
パイプ状の金属材料から構成され、表面にメッキ層が形成されたシャフトを備えたゴルフクラブにおいて、
前記シャフトのメッキ層表面に炭素を主成分としたダイヤモンドライクカーボン膜を形成したことを特徴とするゴルフクラブ。
【発明の詳細な説明】
【技術分野】
【０００１】
本発明は、ゴルフクラブ、特にゴルフクラブ用シャフトの改良に関するものである。
【背景技術】
【０００２】
従来、ゴルフクラブは、ヘッドと、その一端部がヘッドに嵌合するパイプ状のシャフトと、シャフトの他端部を挿入するグリップとから構成され、通常、鉄鋼材料で構成されたシャフトの場合にはその表面にクロムメッキが施される。
【発明の開示】
【発明が解決しようとする課題】
【０００３】
しかしながら、従来のクロムメッキされたシャフトにあっては、表面に傷がつきやすく、美感が損なわれやすい。また、クロムメッキの表面に点錆が発生しやすく、メンテナンスに手間が掛かるという問題点があった。
【０００４】
本発明は、上記の問題点に鑑みてなされたものであり、耐傷性や耐サビ性を向上したゴルフクラブを提供することを目的とする。
【課題を解決するための手段】
【０００５】
本発明は、パイプ状の金属材料から構成され、表面にメッキ層が形成されたシャフトを備えたゴルフクラブにおいて、前記シャフトのメッキ層表面に炭素を主成分としたダイヤモンドライクカーボン膜を形成したことを特徴とするゴルフクラブである。
【発明の効果】
【０００６】
本発明によると、ゴルフクラブのシャフト表面に高硬度のダイヤモンドライクカーボン（以下、ＤＬＣ）膜を形成する構造のため、傷がつきにくく、美感を長期間に渡り維持することができる。また、錆が生じやすいメッキ層表面をＤＬＣ膜で覆うため、点錆が生じにくくなり、手入れが容易になるという効果がある。
【発明を実施するための最良の形態】
【０００７】
以下、本発明の実施形態を添付図面に基づいて説明する。図１は、ゴルフクラブのシャフト１の部分断面図と、その一部拡大図とを示している。
【０００８】
図１に示すようにシャフト１は、パイプ形状の鉄鋼材料で構成されており、先端部に不図示のヘッドが嵌合され、基端部はラバー製のグリップに挿入される。シャフトの形状は、ヘッドが嵌合される先端部ほど縮径された形状に構成される。
【０００９】
シャフト１の表面にはクロムメッキ層２が防錆及び美感の向上のため施され、５μｍ以下の厚みで形成される。
【００１０】
しかしながら、クロムメッキ層２には、微細なクラックが生じており、このクラックから水分がシャフト１に達し、シャフト１に錆を発生させる。この錆がクロムメッキ層２の表面に点錆として現れるため、点錆を防ぐためには日々のメンテンナンスを欠かすことができない。
【００１１】
また、クロムメッキ層２の硬度はビッカース硬度Ｈｖ＝１０００程度であり、クロムメッキ層２の表面にゴルフのプレー中に傷がつくことが考えられ、シャフト１についた傷によりシャフト１表面の美感を損なうことになる。
【００１２】
そこで本発明の要旨とするところであるが、クロムメッキ層２の表面上に炭素を主成分としたアモルファス構造体からなるＤＬＣ膜３を形成する。ＤＬＣ膜３の厚さは、例えば３μｍ以下である。
【００１３】
ＤＬＣ膜３は、アンバランスマグネトロンスパッタ法（以下、「ＵＢＭスパッタ法」と称する）によって形成される。
【００１４】
スパッタの原理は、図２に示すように、アルゴン等の不活性ガスを導入した真空中でターゲット４１を陰極として陽極の間でグロー放電させてプラズマを形成し、このプラズマ中のイオンをターゲット４１に衝突させてターゲット４１の原子を弾き飛ばし、この原子をターゲット４１と対向して配置されたワーク（クロムメッキが施されたシャフト１）２１上に堆積させて皮膜を形成するようになっている。
【００１５】
ＵＢＭスパッタ法は、スパッタ蒸発源４０ａ〜４０ｄにターゲット４１の中心部と周辺部で異なる磁気特性を有する磁場４２、４３が配置されて、プラズマを形成しつつ強力な磁場４２により発生する磁力線の一部がワーク２１の近傍に達し、ワーク２１にバイアス電圧を印加することによって、ターゲット材４１を構成する物質がワーク２１上に堆積される。
【００１６】
図３は、ＵＢＭスパッタ装置５０の基本構成を示す。真空チャンバ５１に４つのスパッタ蒸発源４０ａ〜４０ｄが設けられ、その中央に配置された自公転式ワークテーブル５６上にワーク２１が置かれ、ワーク２１にコーティングが行われる。スパッタ蒸発源４０ａ〜４０ｄには皮膜材料となる平板状ターゲットが取り付けられる。真空チャンバ５１にはアルゴン等の不活性ガスとメタンガス等の炭化水素ガスが所定量充填される。
【００１７】
スパッタ蒸発源４０ａ，４０ｃにはターゲットとしてグラファイトを使用し、スパッタ蒸発源４０ｂ，４０ｄにはターゲットとして金属を使用する。
【００１８】
以上のように構成されて、次に作用について説明する。
【００１９】
シャフト１上にまずクロムメッキ層２を形成し、さらにクロムメッキ層２上にＤＬＣ膜３を形成する。クロムメッキ表面に形成されたＤＬＣ膜３は、クロムメッキ層２より硬く、ビッカース硬度Ｈｖ＝３０００程度であり、したがって、傷がつきにくく耐傷性が向上され、美感を損ないにくい。
【００２０】
またＤＬＣ膜３は、クロムメッキ層２のクラックに相当するピンホールが少なくクロムメッキ層２に比して錆が発生しにくい。このため、点錆発生の頻度が低下し、耐錆性が向上してメンテナンス性を改善することができる。
【００２１】
さらには、ＤＬＣ膜３の表面がカーボン独特の光沢を備えており、美感が向上して商品性が向上する。
【００２２】
本発明は上記の実施形態に限定されずに、その技術的な思想の範囲内において種々の変更がなしうることは明白である。
【産業上の利用可能性】
【００２３】
本発明は、ゴルフクラブのスチールシャフトに利用できる。
【図面の簡単な説明】
【００２４】
【図１】本発明の実施形態を示し、ゴルフクラブのシャフトの部分断面図。
【図２】同じくスパッタ法の原理を示す説明図。
【図３】同じくＵＢＭスパッタ装置の構成図。
【符号の説明】
【００２５】
１  シャフト
２  摺動部材
３  ＤＬＣ膜
【図１】
2009022448.tif 000003
【図２】
2009022448.tif 000004
【図３】
2009022448.tif 000005
(57)【要約】【課題】単純な構造を有する高所清掃具を提供する。【解決手段】高所清掃具は、第１端部１２および第２端部１４を有し長さを調節可能な操作棒１０と、操作棒１０の第１端部１２又はその付近に固定された噴射ノズル２０と、操作棒１０の第２端部１４又はその付近に固定されたエアホースリール３０とを備える。エアホースリール３０から伸びるエアホース４０のカプラ４２が噴射ノズル２０に接続される。【選択図】図１
2009022904.tif 000002
【特許請求の範囲】
【請求項１】
高所を清掃するための高所清掃具であって、
第１端部および第２端部を有し長さを調節可能な操作棒と、
前記操作棒の第１端部又はその付近に固定された噴射ノズルと、
前記操作棒の第２端部又はその付近に固定されたエアホースリールと、
を備え、前記エアホースリールから伸びるエアホースのカプラが前記噴射ノズルに接続されることを特徴とする高所清掃具。
【請求項２】
作業者が清掃対象を確認することができるように配置されたミラーを更に備えることを特徴とする請求項１に記載の高所清掃具。
【請求項３】
前記清掃対象を照明する照明器を更に備えることを特徴とする請求項２に記載の高所清掃具。
【請求項４】
前記エアホースリールのカプラに接続されるコンプレッサを更に備えることを特徴とする請求項１乃至３のいずれか１項に記載の高所清掃具。
【発明の詳細な説明】
【技術分野】
【０００１】
本発明は、高所を清掃するために好適な高所清掃具に関する。
【背景技術】
【０００２】
従来、高所（例えば、地面又は床から２ｍ以上の高さ）を清掃するためには、足場を組む必要があり、清掃のために要するコストが大きくなるし相当な作業時間を要していた。また、足場の上で作業者が上方を見上げながら作業をすることは危険でもあった。
【０００３】
特許文献１には、蜘蛛や虫の卵などを吸い取る高所清掃器具が開示されている。この高所清掃器具は、複数の中空ロッドを繋いだ伸縮ロッドの内部を吸い込み通路として利用し、その伸縮ロッドの先端に吸い込み口を取り付けて構成されている。特許文献１に記載された高所清掃器具によれば、足場の設置のために要するコストや時間が大幅に低減され、また、作業の安全性も高まる。
【特許文献１】特開平１１−２４４２０８号公報
【発明の開示】
【発明が解決しようとする課題】
【０００４】
しかしながら、清掃対象の構造が複雑であったり、清掃対象に吸い込み口を接触させ難かったりすると、吸い込み式の清掃器具では、思うように清掃対象を清掃することができないことがある。
【０００５】
本発明は、例えば、清掃対象の構造が複雑な場合や清掃対象とノズルとの間に僅かな距離が存在する場合にも清掃作業を容易に行うことができる高所清掃具を提供することを目的とする。
【課題を解決するための手段】
【０００６】
本発明に係る高所清掃具は、高所を清掃するために好適な高所清掃具であり、第１端部および第２端部を有し長さを調節可能な操作棒と、前記操作棒の第１端部又はその付近に固定された噴射ノズルと、前記操作棒の第２端部又はその付近に固定されたエアホースリールとを備え、前記エアホースリールから伸びるエアホースのカプラが噴射ノズルに接続される。
【発明の効果】
【０００７】
本発明によれば、例えば、清掃対象の構造が複雑な場合や清掃対象とノズルとの間に僅かな距離が存在する場合にも清掃作業を容易に行うことができる高所清掃具が提供される。
【発明を実施するための最良の形態】
【０００８】
以下、添付図面を参照しながら本発明の好適な実施形態を説明する。
【０００９】
図１は、本発明の好適な実施形態の高所清掃具の構成を示す図である。本発明の好適な実施形態の高所清掃具１００は、高所（例えば、地面又は床から２ｍ以上の高さ）を清掃するために好適である。高所清掃具１００は、第１端部１２および第２端部１４を有し長さを調節可能な操作棒１０と、操作棒１０の第１端部１２又はその付近に固定された噴射ノズル２０と、操作棒１０の第２端部１４又はその付近に固定されたエアホースリール３０とを備える。
【００１０】
ここで、操作棒１０は、作業者１が噴射ノズル２０の位置を清掃対象箇所に操作するための棒である。操作棒１０は、例えば、複数の棒部材のうちの任意数の棒部材を連結することによって長さを調整可能に構成されてもよいし、複数の中空部材の径を異ならせて細い中空部材を太い中空部材の中に収納することができるような伸縮性の構造として構成されてもよい。
【００１１】
噴射ノズル２０は、操作棒１０に直接固定されてもよいし、他の部材を介して固定されてもよい。同様に、エアホースルール３０は、操作棒１０に直接固定されてもよいし、他の部材を介して固定されてもよい。エアホースリール３０から伸びるエアホース４０のカプラ４２は、噴射ノズル２０に接続される。
【００１２】
図２は、エアホースリール３０及びその周辺の構成例を示す図である。エアホースリール３０は、エアホース４０を巻き取ることができるように構成されている。エアホース４０の一端にはカプラ４２が取り付けられていて、他端はエアホースリール３０のカプラ３２に接続されている。エアホースリール３０のカプラ３２にコンプレッサ５０を接続してコンプレッサ５０を動作させることによって噴射ノズル２０を通してエアーを噴射して塵等を吹き飛ばすことができる。  コンプレッサ５０は、例えば、作業者１が携帯しうる。このようなコンプレッサ５０に代えて、工場設備の圧縮エアーライン、又は、移動型のコンプレッサを利用してもよい。
【００１３】
高所清掃具１００は、作業者１が清掃対象（典型的には、高所の構造物）９０を確認することができるように配置されたミラー６０を備えることが好ましい。これにより、作業者１から見て清掃対象９０の裏側、典型的には、清掃対象９０の上側の様子を容易に確認することができる。高所清掃具１００は、更に、清掃対象９０を照明する照明器７０を備えることが好ましい。これにより、通常は照明が十分になされていない高所の清掃対象９０の様子を確認が更に容易になる。照明器７０は、電池を内蔵してもよいし、電気コードを介して電源を供給されてもよい。
【００１４】
本発明の好適な実施形態によれば、清掃対象の構造が複雑な場合や清掃対象と噴射ノズル２０との間に僅かな距離が存在する場合にも清掃作業を容易に行うことができる。
【００１５】
また、本発明の好適な実施形態によれば、操作棒１０の内部をエアー用の通路として利用する必要がないので、操作棒１０の構造を単純化することができる。これは、高所清掃具の製造コストの低下や耐久性の向上に寄与する。
【図面の簡単な説明】
【００１６】
【図１】本発明の好適な実施形態の高所清掃具の構成を示す図である。
【図２】エアホースリール及びその周辺の構成例を示す図である。
【符号の説明】
【００１７】
１  作業者
１０  操作棒
１２  第１端部
１４  第２端部
２０  噴射ノズル
３０  エアホースリール
３２  カプラ
４０  エアホース
４２  カプラ
５０  コンプレッサ
６０  ミラー
７０  照明器
９０  作業対象
１００  高所清掃具
【図１】
2009022904.tif 000003
【図２】
2009022904.tif 000004
(57)【要約】【課題】解決しようとする問題点は、消雪管に使用されている黒ガス管内面と水との直接接触する面を無くし管の腐食に歯止めをかけ、既設配管の耐用年数を、大巾に延長させることを目的とする。【解決手段】管内の錆、スケール、水あかを除去するため、対象管内にはがね付き固形物を通過させ、また高圧水洗浄することによって管内のクリーニングを行い、その後エポキシ樹脂を同様に塗装用固形物を対象管内を通過させることによって、塗膜を形成する。【選択図】図３
2009022815.tif 000002
【特許請求の範囲】
【請求項１】
消雪管内において、消雪本管内面及び、ノズル取付分岐管内面を表面はがね付き固形物を空気圧又は水圧にて直管部はもとより曲管部内面を、通過させることにより既設管内に付着している水垢、錆び、スケールを除去し水洗いをおこなう。上記で管内クリーニングの後エアー乾燥を行い、あらかじめ管内に注入しておいたエポキシ樹脂を表面なめらかな固形物を空気圧にて圧送することにより、管内面にエポキシ樹脂の塗膜を形成し、塗装工事を完了する。
【発明の詳細な説明】
【技術分野】
【０００１】
本発明は、既設消雪管内のクリーニング、又塗装する事により従来の黒ガス管の腐食に歯止めをかけ、管寿命を相当延長させることを目的とする。
【背景技術】
【０００２】
現行に於いての消雪管内の材質は、黒ガス管が主に使用されて居り、防錆対策がなされていないので、どんどん腐食が進み、管の厚みの保持が難しい状況である。
【０００３】
本発明は、既設消雪本管を一定スパンで切り取りを行い、直線部においては高圧水洗浄、又は既設管径に対して同径のはがね付き固形物を空気圧もしくは水圧にて圧送し管内の錆スケールを除去しクリーニングを行う。（曲がり配管においても同様）
【０００４】
施工前消雪ノズルの中央部をはずしファイバースコープを差込み管内状況を確認する。状況に応じてテレビカメラも併用する。
【０００５】
1  （クリー二ング作業）前項（0003）に掲示
2  （乾燥作業）コンプレッサーを使用しあらかじめスポンジ状の固形物をエアー圧にて圧送し含水させ溜まり水を除去する。その後エアー乾燥する。
3  （塗装作業）既設管径に対して2〜3ｍｍ細いなめらかさをもつ固形物をエアー圧にて圧送しあらかじめ挿入しておいたエポキシ樹脂を押し込みながら管内壁面を塗布する（曲がり配管においても同様）
4  （確認検査）塗料硬化後前項（0004）に準じ確認、検査を行う。
【発明の開示】
【発明が解決しようとする課題】
【０００６】
黒ガス管内鉄面と水との直接接触する面を無くし管の腐食に歯止めをかけ、消雪管の寿命の延命を図ることを目的とする。
【課題を解決するための手段】
【０００７】
本発明は、消雪管の品質保全を目的とする施工方法である。
【発明の効果】
【０００８】
消雪管内面をクリーニングしエポキシ樹脂により塗膜形成することにより管寿命の延長、又赤水が道路に流される事により生ずるコンクリート面、アスファルト面の赤く変色するのを防止する効果がある。
【発明を実施するための最良の形態】
【０００９】
出来るだけ、管体の厚みがあり、材質が強固であれば一番ベストに施工効果を発揮できる。出来るだけ早期施工が望まれる。
【００１０】
道路上での施工が大部分を占めるため、また道路中央部に消雪管が位置している関係上作業機械の小型化が望まれる。
【産業上の利用可能性】
【００１１】
塗料（エポキシ樹脂）の開発の際その性質が残存さびに溶け込み（含芯性）さび共に固めてしまう利点を持つ塗料である為、圧送すれば管内に生じた穴もしくはコンクリート亀裂部に浸透する効果もあり利用範囲は広くなるのではないか。
【図面の簡単な説明】
【００１２】
【図１】高圧洗浄作業（管内クリーニング）
【図２】はがね付き固形物の管内圧送作業（管内クリーニング）
【図３】なめらか固形物の管内圧送作業（管内塗装）
【図４】確認検査作業
【符号の説明】
【００１３】
Ａ  高圧洗浄車
Ｂ  塗装機
Ｃ  はがね付き固形物
Ｄ  塗装用固形物
Ｅ  打ち込み口
Ｆ  キヤッチヤー
Ｇ  ファイバアスコウプ
Ｈ  テレビカメラ
【図１】
2009022815.tif 000003
【図２】
2009022815.tif 000004
【図３】
2009022815.tif 000005
【図４】
2009022815.tif 000006
(57)【要約】【課題】ふぐのしめは職人の勘によるもので、技術的にも難しく、ふぐ料理自体、家庭的でなかった。【解決手段】生きたふぐを解体、真空パック後、マイナス２０度以下で冷凍する。お湯で急速解凍後、冷凍じめができあがるので、これを利用する。ふぐの冷凍じめを利用する事でふぐ料理が簡単になり、身近な料理となる。【選択図】図１
2009022261.tif 000002
【特許請求の範囲】
【請求項１】
解凍後、水分が少しぬけ、硬直状態になる冷凍方法を特徴とするふぐの冷凍技術
【請求項２】
前記、冷凍技術はふぐの部分箇所、個数に関係ない冷凍方法を特徴とするふぐの冷凍技術
【発明の詳細な説明】
【技術分野】
【０００１】  この発明は、ふぐのしめ（従来さらしで巻いて水分をぬく）の方法に関する。
【背景技術】
【０００２】  従来のふぐのしめは職人の勘にたよるもので技術者以外簡単にできない技である。
【発明の開示】
【発明が解決しようとする課題】
【０００３】しかしながら、以上の技術によれば、経験を要する技術で技術を持たない人には取り扱いが困難で、時間のかかる技である。
そこで、この発明は、技術者でなくても、簡単に、短時間で、ふぐのしめができ、長期冷凍保存ができる方法を提供することを課題とする。
【課題を解決するための手段】
【０００４】  以上の課題を解決するために、この発明は、急速解凍後、硬直状態になり、ふぐのしめができる事を特徴とするふぐの冷凍じめである。
【発明の効果】
【０００５】  この発明によれば、しめにかかる時間の短縮ができ、冷凍保存により、取り扱いやすくなり、ふぐの免許保持者以外でも、技術者以外でも、ふぐの刺身が簡単に造れるようになり、ふぐ料理を取り扱う事ができるようになる。
【発明を実施するための最良の形態】
【０００６】  この発明の一実施形態を、図１に示す。
ふぐの解体処理、冷凍保存までは、ふぐが硬直状態になってはならない。
この発明の一実施形態を、図２に示す。
▲１▼▲２▼▲３▼▲４▼は生きたふぐを解体したものでないとならない。
解体後、身が硬直する前に真空パックし、マイナス２０度以下で冷凍保存する。
お湯による急速解凍後、ふぐは硬直状態になる。
解凍することにより少し、水分がぬけ、むつかしいふぐのしめができあがる。
これを料理する。【０００７】「実施形態の効果」
この実施形態によれば、刺身用のふぐが冷凍保存でき、技術的にむつかしいふぐのしめが簡単にでき、解凍後、すぐ使う事ができるので、鮮度はよく、ふぐの刺身の食感が、よくなる。
大量保存、大量生産ができ、一般の人が料理しづらかったふぐが家庭でも簡単に料理できるようになる。【０００８】「他の実施形態」
とらふぐに限らず、まふぐ、なめたふぐなどの他のふぐ、魚全般にも応用できる。
【図面の簡単な説明】
【０００９】
【図１】この発明を示す図である。
【図２】真空パック前の図である。
【図３】従来技術を示す図である。
【符号の説明】
【００１０】▲１▼はひいたふぐの皮
▲２▼は３枚におろした身
▲３▼は▲２▼の身皮
▲４▼はその他のあら
【図１】
2009022261.tif 000003
【図２】
2009022261.tif 000004
【図３】
2009022261.tif 000005
【手続補正書】
【提出日】平成19年8月14日(2007.8.14)
【手続補正２】
【補正対象書類名】特許請求の範囲
【補正対象項目名】全文
【補正方法】変更
【補正の内容】
【特許請求の範囲】
【請求項１】
解凍後、水分が少しぬけ、硬直状態になる冷凍方法を特徴とするふぐの冷凍技術
【請求項２】
前記、冷凍技術はふぐの部分箇所、個数に関係ない冷凍方法を特徴とするふぐの冷凍技術
【手続補正３】
【補正対象書類名】明細書
【補正対象項目名】全文
【補正方法】変更
【補正の内容】
【発明の詳細な説明】
【技術分野】
【０００１】  この発明は、ふぐのしめ（従来さらしで巻いて水分をぬく）の方法に関する。
【背景技術】
【０００２】  従来のふぐのしめは職人の勘にたよるもので技術者以外簡単にできない技である。
【発明の開示】
【発明が解決しようとする課題】
【０００３】しかしながら、以上の技術によれば、経験を要する技術で技術を持たない人には取り扱いが困難で、時間のかかる技である。
そこで、この発明は、技術者でなくても、簡単に、短時間で、ふぐのしめができ、長期冷凍保存ができる方法を提供することを課題とする。
【課題を解決するための手段】
【０００４】  以上の課題を解決するために、この発明は、急速解凍後、硬直状態になり、ふぐのしめができる事を特徴とするふぐの冷凍じめである。
【発明の効果】
【０００５】  この発明によれば、しめにかかる時間の短縮ができ、冷凍保存により、取り扱いやすくなり、ふぐの免許保持者以外でも、技術者以外でも、ふぐの刺身が簡単に造れるようになり、ふぐ料理を取り扱う事ができるようになる。
【発明を実施するための最良の形態】
【０００６】  この発明の一実施形態を、図１に示す。
ふぐの解体処理、冷凍保存までは、ふぐが硬直状態になってはならない。
この発明の一実施形態を、図２に示す。
▲１▼▲２▼▲３▼▲４▼は生きたふぐを解体したものでないとならない。
解体後、身が硬直する前に真空パックし、マイナス２０度以下で冷凍保存する。
お湯による急速解凍後、ふぐ硬直状態になる。
解凍することにより少し、水分がぬけ、むつかしいふぐのしめができあがる。
これを料理する。【０００７】「実施形態の効果」
この実施形態によれば、刺身用のふぐが冷凍保存でき、技術的にむつかしいふぐのしめが簡単にでき、解凍後、すぐ使う事ができるので、鮮度はよく、ふぐの刺身の食感が、よくなる。
大量保存、大量生産ができ、一般の人が料理しづらかったふぐが家庭でも簡単に料理できるようになる。【０００８】「他の実施形態」
とらふぐに限らず、まふぐ、なめたふぐなどの他のふぐ、魚全般にも応用できる。
【図面の簡単な説明】
【０００９】
【図１】この発明を示す図である。
【図２】真空パック前の図である。
【図３】従来技術を示す図である。
【符号の説明】
【００１０】  ▲１▼はひいたふぐの皮
▲２▼は３枚におろした身
▲３▼は▲２▼の身皮
▲４▼はその他のあら
【手続補正４】
【補正対象書類名】図面
【補正対象項目名】全図
【補正方法】変更
【補正の内容】
【図１】
2009022261.tif 000006
【図２】
2009022261.tif 000007
【図３】
2009022261.tif 000008
(57)【要約】      （修正有）【課題】たばこの火を消す時、完全に消えたかどうか気になっていた。そこで、再燃しない、火を出さない灰皿を提供する。【解決手段】蓋付きの缶の蓋２に丸パイプを二つ割りにした樋状の長方形に合う穴を開け、入れ込んで固定する。これに樋状のパイプ１に合わせた片開きの蓋３をする。蓋３は手前から持ち上げた時二つ折りになるよう、二枚の板を丁番状にして、一枚の蓋とする。丁番状の蓋の一辺と樋の一辺を上下に動くよう連結する。蓋の裏に付けた爪４で吸殻を押し出して火を消すことを特徴とする。【選択図】図１
2009022263.tif 000002
【特許請求の範囲】
【請求項１】
灰皿を上下二重構造にして、上の層で灰・吸殻を捨て、火を消して下の層へ落とす。再燃しない、火を出さない灰皿。
【発明の詳細な説明】
【技術分野】
【０００１】この発明は、上の層で火を消した吸殻を下の層へ落とすという、再燃しない灰皿に関するものである。
【背景技術】
【０００２】従来、たばこは押しつぶして火を消していた。
【発明の開示】
【発明が解決しようとする課題】
【０００３】従来、灰皿で火を消す、吸殻を捨てる。これをひとつの場所で行っていた。また、押しつぶして火を消していた。これでは火は拡散して、何度も押さえなければ完全には消えない。本発明は、以上の欠点をなくすためになされたものである。
【架台を解決するための手段】
【０００４】灰皿を上下２層にし、上の層で火を消し、下の層へ落とす。
本発明は、以上の構成よりなる、再燃しない、火を出さない灰皿である。
【発明の効果】
【０００５】火を消す所と吸殻を捨てる所を分けることにより、再燃・発火を防止する。
【発明を実施するための最良の形態】
【０００６】以下、本発明を実施するための最良の形態について説明する。
蓋付きの缶の蓋に丸パイプを二つ割りにした樋状の長方形に合う穴を開け、入れ込んで固定する。これに樋状のパイプに合わせた片開きの蓋をする。蓋は手前から持ち上げた時二つ折りになるよう、二枚の板を丁番状にして、一枚の蓋とする。丁番状の蓋の一辺と樋の一辺を上下に動くよう連結する（７）。
手前の板の丁番の芯に近いところに，樋の半径の長さよりやや長めの、巾は樋いっぱいの爪（４）を樋状のパイプの中心線上になるように取り付ける。つめの先端には吸殻を外へ押し出すため、たばこの径より太めのパイプの二つ割りにしたもの（４）を取り付ける。樋の奥は、押し込まれた吸殻が外へ出るよう、天井とパイプの間は約１０ミリ程空けておく。吸殻が押し込まれて樋の外へ出た時、３〜５ミリ下がった所に金網状の台を設ける。この台は吸殻が１本だけ乗るようにし、この上で火を消す。火は、酸欠ですぐに消える。次の吸殻が押し込まれると、先の吸殻は押されて下へ落ちる。
万が一火がついた吸殻が下に落ちても酸欠で火は消え、燃える心配はない。
台の上に乗った吸殻は蓋を開けた時に見えないよう目隠しを付ける（６）。爪がパイプの半径より長いのは、これにより爪の先端と樋の内側に隙間がなくなり、蓋をする度、爪が掃除をするためである。
これを使用するときは、蓋を開ける。樋の中に火のついた吸殻を入れる。蓋を閉める。
これだけで良い。蓋を閉めると一切煙の出ない灰皿である。
本発明は、以上のような構造である。
【図面の簡単な説明】
【０００７】
【図１】本発明の斜視図である。
【図２】本発明の蓋を開けた状態の断面図である。
【図３】本発明の蓋を閉じた状態の断面図である。
【符号の説明】
【０００８】１  半丸パイプ（樋状）
２  缶の蓋
３  灰皿の蓋
４  爪（半丸パイプ）
５  金網状の台
６  目隠し
７  丁番の芯
８  吸殻置き
【図１】
2009022263.tif 000003
【図２】
2009022263.tif 000004
【図３】
2009022263.tif 000005
(57)【要約】【課題】  従来の刈払い機には刈草や蔓の巻付を防ぐ目的で、回転刈刃の軸心外周に巻付物を切り外す補助刃を設けたものがある。  しかしながら、その補助刃が巻付刈草や蔓を切り離すことには成らず、却って巻付きを助長している。【解決手段】  刈払機ギアケース５付近の払竿６下面直近の高さを有する平面的な側面の立周壁でギアケース５外周を囲い、回転刈刃４上面中央に密着して回転するカップ形状の巻付防止具１を形成し、該回転刈刃４上面へ上向きに設ける。【選択図】図２
2009022215.tif 000002
【特許請求の範囲】
【請求項１】
刈払機ギアケース付近の払竿下面直近の高さを有する平面的な側面の立周壁でギアケース外周を囲い、回転刈刃の上面上向きに密着して同一回転し刈り草蔓類を該立周壁で滑らせて巻付きを必然的に排除するカップ形状の巻付防止具、及び該巻付防止具を着けた刈払機。
【発明の詳細な説明】
【技術分野】
【０００１】
本発明は、草蔓類の刈草巻付きを防ぐ刈払機に関する。
【背景技術】
【０００２】
従来の巻付防止具は、巻付く蔓草を再切断して排除する目的の回転刈刃上面に密着させて用いる回転補助刃がある。
【０００３】
【特許文献１】特開２００５−１１８００３号公報
【発明の開示】
【発明が解決しようとする課題】
【０００４】
しかしながら、その回転補助刃が巻付いた刈草や蔓を切り離して除去することには成らず、却って巻付きを助長する結果になっている。
【課題を解決するための手段】
【０００５】
刈払機ギアケース付近の払竿下面直近の高さを有する平面的な側面の立周壁が該ギアケース外周を囲い、回転刈刃上面に密着して同一回転するカップ形状の巻付防止具を該回転刈刃上面上向きに設ける。
【発明の効果】
【０００６】
本発明の回転刈刃上面に密着固定して設けるカップ形状の巻付防止具は、ギアケースの近傍に位置する払竿下面直近の高さで該ギアケース外周を囲った平面的な側面の立周壁が刈り草類を全て滑らせ、該回転刈刃が刈草を外側へ排除しながら巻付を完璧に防ぎ、生い茂った如何なる状態の蔓草であっても、これまでのように事前刈りをする必要も無く、本発明の巻付防止具によってどんな状況にある該蔓草も刈払機そのもので払い刈りでき、更にナイロン紐の３０ｃｍ程度の切れ端が草叢に在っても固く巻付くことは無く、山になった該刈蔓草に、回転する刈刃を突っ込んで実験しても巻付きは元より回転低下や回転停止がない。
【０００７】
従って、固い巻付きが起こらないので草刈り作業時にカッターやペンチ、プライヤー等の巻付き物除去用具を要さず、作業効率と安全性が著しく改善され経済的効果も大きく向上し、至極有利である。
【発明を実施するための最良の形態】
【０００８】
以下、本発明の実施の形態を図１、図２に基づいて説明する。
【実施例１】
【０００９】
図１、図２は本発明の１実施例を示す図で、図１はカップ形状の巻付防止具を示す斜視図で一部透視図ある。
図２はカップ形状の巻付防止具を着けた刈払機のギアケース周辺部分を示す側面図で一部透視図である。  
【００１０】
図１、図２において、１はカップ形状の巻付防止具である。
巻付防止具１は中心に回転刈刃４の軸穴と同径の軸穴３を設け、平面的な側面の立周壁２を形成する。
該巻付防止具に用いる材質と厚みは何れであってもよく特定するものではないが、ステンレス鋼の厚さ０，３ミリ前後程度のもので成形するのが最も望ましい。
【００１１】
図１、図２において、２は立周壁である。                                                                                            
立周壁２はギアケース外周を囲い、該ギアケース近傍に位置する払竿下面直近の高さにして平面的な側面の立周壁２に形成する。
この立周壁２の平面的な側面が、刈草蔓類を総て滑らせて巻付かせないので回転低下が起こらず、従って回転刈刃が刈草を外側へ排除しながら蔓や草を順次刈ることになる。
【００１２】
図１において、３は軸穴である。
軸穴３はカップ形状の巻付防止具１の中心に回転刈刃４の軸穴と同径の穴を設け、該回転刈刃４とその上面へ上向きに同一固着する。
【００１３】
図２において、４は回転刈刃である。
回転刈刃４は蔓や草類を刈る円板の刈刃で、外周に刃が形成されたものである。  
【００１４】
図２において、５はギアケースである。    
ギアケース５はエンジンの回転を回転刈刃４に角度を変えて伝えるギアを収納したケースであり、これまでは刈草や蔓が回転刈刃の回転によって該ギアケース根元への固い巻付きが必ず起きていたが、本発明の巻付防止具１は平面的な側面の立周壁２で該ギアケース５を囲い、刈り草蔓等を全て完全に滑らせて排除するので軸心側への絡み付きがなく、従って固い巻付きが全く起こらない。                                                
【００１５】
図２において、６は払竿である。
払竿６は回転刈刃４に回転力を伝える外筒の役目をなすと共に該回転刈刃４を左右に払い振って草刈作業を行う竿で、先側にギアケース５が在り、その先端に回転刈刃４が設けられる。
【産業上の利用可能性】
【００１６】
本発明の巻付防止具は、殆んどの刈払機に使用でき、固い巻付きが全くないので作業効率と安全性に優れ経済的にも有利である。
【図面の簡単な説明】
【００１７】
【図１】本発明の実施形態を示す斜視図（一部透視図）
【図２】本発明の実施形態を示す側面図（一部透視図）
【符号の説明】
【００１８】
１  巻付防止具
２  立周壁
３  軸穴
４  回転刈刃
５  ギアケース
６  払竿
【図１】
2009022215.tif 000003
【図２】
2009022215.tif 000004
(57)【要約】【課題】  殻付落花生には「炒り落花生」と「ゆで落花生」の２種類しかない。「落花生の漬物」は、市販されていないので、それを提供する。【解決手段】  落花生を茹でて、漬物漬け剤（例、米ぬか）に漬け込んだ落花生の漬物と、その漬物を脱残滓、殺菌、漂白、半乾燥した落花生漬物の製造方法である。【特許請求の範囲】
【請求項１】
落花生を茹でて、漬物漬け剤に漬込んだ落花生の漬物。
【請求項２】
茹でた落花生の漬物を脱残滓、殺菌、漂白、乾燥したことを特徴とする漬物の製造方法。
【発明の詳細な説明】
【技術分野】
【０００１】  本発明は、落花生の漬物及びその製造方法に関するものである。
【背景技術】
【０００２】  従来の落花生食品においては、殻付の場合、落花生を加熱した「炒り落花生」と、茹でた「ゆで落花生」の２種類しかない。又、落花生の漬物は市販されていない。
一般に漬物は、漬け汁に漬けられたまま濡れた状態で包装されて市販されている。殺菌は加熱殺菌が行われている。（落花生の場合）
【非特許文献１】  島村忠勝著  「奇跡のカテキン」  ＰＨＰ研究所  ２０００年４月４日発行  Ｐ２６〜１３９
【発明の開示】
【発明が解決しようとする課題】
【０００３】  従来のものは、各種の欠点があった。
イ  ゆで落花生は、塩のみの単調な味付けなので落花生のエグミ又は生臭味がある為、美味しくない。
ロ  茹で上がった殻は、水分を含んでいて、細菌やカビが発生し易く、常温では数日しかもたない。味付けの塩分だけでは、殻内への雑菌の侵入を防ぐことは出来ない。水分が雑菌やカビの侵入と繁殖をうながす。
ハ  漬物は、漬け汁にひたしているので取り出す時に、汁がこぼれたり、洗ったりして手を汚す。
以上の欠点を解決する為に本発明をした。
【課題を解決するための手段】
【０００４】  本発明は、落花生を茹でて、漬物漬け剤（例、米ぬか）に漬け込んだ落花生漬物とその漬物を脱残滓、殺菌、漂白、乾燥した落花生漬物の製造方法である。
【発明の効果】
【０００５】  発明の効果としては、▲１▼落花生特有の味と風味が発酵成分と融合して味覚の広がりと、優れた香気が生まれた。▲２▼漬物により常温保存期間が飛躍的に高まった。▲３▼落花生の異常なエグミや生臭感がなくなった。▲４▼成分中のたんぱく質の発酵によりグルタミン酸のうまみ成分に変わり、栄養分と吸収性が増大した。▲５▼殺菌、漂白、乾燥により衛生的である。以上の効果がある。
【発明を実施するための最良の形態】
【０００６】  以下に本発明の実施形態を説明する。
第１工程（原料の水浸漬）
原料の殻付落花生を１２〜１５時間米ぬか入りの水に漬けて、灰抜きをする。
第２工程（茹で工程）
殻付落花生を、塩分３〜５％の米ぬか（漬け剤）と少量の砂糖で作った煮汁で、圧力釜で柔らかくなるまで茹で上げる。
第３工程（発酵工程）
塩分１０％程度の冷まし湯で作った米ぬか床（漬け剤）に漬け込み、充分に発酵させる。
第４工程（脱残滓工程）
豆が充分に発酵した後、水洗いだけでは落ちない殻の多孔質中についた米ぬかの残滓を浸透圧の差により脱離する。
第５工程（殺菌、漂白、鮮度保持）
ビタミンＣを加えたカテキン溶液に殻付落花生を一定時間浸漬すると多量のアクが出る。
その後、溶液中でこれを振るい落とすことで、この工程と同時に前工程も行なうことができる。
尚、カテキンは落花生表面のコレラ菌、黄色ブドウ球菌その他の雑菌やカビを殺菌や抗菌をし、その還元力で、乾燥に伴って漂白も行う。
ビタミンＣとカテキンは、多孔質中の塩分や漬け剤残滓と入れ替わり、殻の繊維にしみこんで乾燥することで、清潔な乾いた表面（殻や薄皮）で、内部への雑菌の侵入を防ぐ。
第６工程（低温乾燥、熟成）
エアーでカテキン溶液を水切りし、冷蔵庫で低温乾燥して殻房内の水分を除去する。
殻房内の水分が除去されると殻が乾いて白くなってくる。低水分中の豆は発酵が緩やかに熟成が進む。【０００７】  尚、殻付落花生の漬物の完成状態は、残滓のない殻が白く乾いて、殼内では柔らかい豆が、低水分環境で緩やかに発酵熟成が続いている状態である。
半乾燥の薄皮落花生の漬物の完成状態は、濡れていない薄皮が柔らかく発酵している豆を包んでいる状態の落花生の漬物である。
【実施例】
【０００８】  他の実施例として、ぬか漬、かす漬、もろみ漬、白みそ漬、塩漬、乳酸ヨーグルト漬、ワイン漬、酢漬などがある。
(57)【要約】【課題】再加工の必要とした、生米の粉末に課題があった。【解決手段】課題のあった生米を、煎り米として、それを粉末化して再加工を簡略した。【特許請求の範囲】
【請求項１】
乾燥米及び生米に加熱をして、煎る米にとなり、狐色およびコンガリ色に入れた煎り米を、１０分の１０を完全粉末と致し１０分の１から１０分の１０までの粉末した範囲とする。
【請求項２】
煎り米に水やお湯、牛乳やお茶等を混合して飲料としたりそれに卵や調味料を加え、カンテン剤で固形加工しての、プリンやゼリー等の食品とした範囲。
【発明の詳細な説明】
【技術分野】
【０００１】  食品の米の分野である
【背景技術】
【０００２】  生米の粉はあらためて加熱で調理しなければならいが，その欠点を、すぐに加工できるように、煎り米の粉末化した。
【発明の開示】
【発明が解決しようとする課題】
【０００３】  これまでには次のような欠点があった
（イ）生米の粉のため改めて加熱でもって加工しなければならない欠点がある。
（ロ）本発明はその欠点を除くためになされたものである
【課題を解決するための手段】
【０００４】（イ）生米を煎り米にした  （ロ）煎り米を粉末にした
【発明の効果】
【０００５】煎り米の粉末であるので直に、お湯やお茶、牛乳、水等の混合で食できたり、カンテンでの固形食にしたり、水分類を多く混合するとジュウスの様に飲料水となり、煎ってあるので香ばしい香りもある。
【発明の実施するための最良の形態】
この場合は１０分の１０の粉末、１００％完全粉末である。
【実施例】
【０００６】（イ）１００％の粉末１８０ｇに１０００ｃｃの牛乳やお湯、お茶等の混合で流動食になり、水分を多く混合することでジュウス飲料になる。
（ロ）（イ）の成分に大匙１ッパイのカンテン剤を、混合すると、プリン状の固形食になる。水分とカンテン剤の多少の混合で硬くなったり、柔らかな固形食となる。
【産業上の利用可能性】
【０００７】（イ）乳幼児の離乳食、病人の流動食になる。
（ロ）果樹や野菜の粉末、カルシュウム等を混合すると新しい健康食品として利用される。
(57)【要約】【課題】  犬の散歩時  犬の糞処理が発生する、現状はビニール袋に鉄製シャベルですくって入れている人、又はビニール袋で直接糞を掴んで入れている人、ティシュで掴みビニール袋に入れる人、まちまちであるが鉄製シャベルは重く、又他の方法も気持ち良いものではない、いずれにしても一旦取って袋に入れている。【解決手段】    軽量なプラスチックを使用したシャベル（持ち手に穴）とビニール袋を一体化し、ビニール袋が外れないよう締め付けるリングを付ける、回収したビニールに入った糞はリングを緩めシャベルと分離する、シャベルはビニール袋を取り替えて繰り返し使用する、片手で簡単にビニール袋に入れることが出来るようになり、直接糞を掴む気持ち悪さを解決し、又  軽いので持ち運びに便利である。【選択図】図１
2009022260.tif 000002
【特許請求の範囲】
【請求項１】
プラスチックシャベルと糞回収用ビニール袋を押さえリングで一体化した犬糞回収道具で、糞回収ごとにビニール袋を交換することにより繰り返し使用可能にした物。
【発明の詳細な説明】
【発明の開示】
【発明が解決しようとする課題】
【０００１】  犬の散歩時  犬の糞処理が発生する、現状はビニール袋に鉄製シャベルですくって入れている人、又はビニール袋で直接糞を掴んで入れている人、ティシュで掴みビニール袋に入れる人、まちまちであるが鉄製シャベルは重く、又他の方法も気持ち良いものではない。
【課題を解決するための手段】
【０００２】  軽量なプラスチックを使用したシャベル（持ち手に穴）とビニール袋を一体化し、ビニール袋が外れないよう締め付けるリングを付ける、回収したビニールに入った糞はリングを緩めシャベルと分離する、シャベルはビニール袋を取り替えて繰り返し使用する。
【発明の効果】
【０００３】  軽量なプラスチックを使用したシャベルとビニール袋を一体化にすることにより、片手で簡単にビニール袋に入れることが出来るようになり、直接糞を掴む気持ち悪さを解決し、又  軽いので持ち運びに便利である。
【図面の簡単な説明】
【図１】  エチッケトシャベルとビニール袋を一体化した斜視図である、シャベルの取っ手はリング締め付けように傾斜している。
【図２】  ビニール袋の口を締め付けるリング正面図である、リングはシャベルの取っ手の傾斜に沿って締め上げる。
【符号の説明】
１  エチッケトシャベル
２  ビニール袋
３  ビニール袋締め付けリング
【図１】
2009022260.tif 000003
【図２】
2009022260.tif 000004
(57)【要約】【課題】開口部や隙間のある洋服の防虫カバーはそこから虫が侵入し、洋服は虫に喰われてしまい被害を受けるという問題点がある。【解決手段】本発明は、洋服を掛けるハンガーのハンガーフックと、防虫カバーに取付けられたファスナーのスライダーが防虫カバーの最上部で直接接するようにし、防虫カバーの開口部をほとんど隙間なく閉じることのできる洋服の防虫カバーを提供することにより、上記課題を解決したものである。【選択図】図２
2009022256.tif 000002
【特許請求の範囲】
【請求項１】
洋服を掛けるハンガーのハンガーフックと、防虫カバーに取付けられたファスナーのスライダーが防虫カバーの最上部で直接接するようにし、防虫カバーの開口部をほとんど隙間なく閉じることのできる洋服の防虫カバー。
【発明の詳細な説明】
【技術分野】
【０００１】本発明は、洋服を虫喰いの害から守るための防虫カバーに関するものである。
【背景技術】
【０００２】従来の防虫カバー（以下「カバー」という）は、どのカバーもハンガーフック（以下「フック」という）を出し入れする開口部とファスナーの開口部がそれぞれ別々に設けられている。この方法ではフック周りの開口部を隙間なく閉じることは難しく、虫はこの隙間から出入りできるためカバーとしての機能が充分と言えない点がある。
【発明の開示】
【発明が解決しようとする課題】
【０００３】開口部や隙間のあるカバーはそこから虫が侵入し、洋服は虫に喰われてしまい被害を受けるという問題点がある。
【課題を解決するための手段】
【０００４】本案は図２に示すごとく洋服を掛けるハンガーのハンガーフックと、防虫カバーに取付けられたファスナーのスライダーが防虫カバーの最上部で直接接するようにし、防虫カバーの開口部をほとんど隙間なく閉じることのできる洋服の防虫カバーを提供することにより、上記課題を解決したものである。
【発明の効果】
【０００５】ファスナーのスライダーをカバー最上部まで引き上げると、洋服を掛けたフックに直接接する。その時、ファスナーのスライダーは同時にフックの周りまでほとんど隙間なく閉じることが出来る。
隙間がほとんどないので、虫はカバー内に侵入することは難しく、洋服はこれまで以上に虫喰いの害から保護される。
【発明を実施するための最良の形態】
【０００６】ファスナーの取付けは図１に示すごとくファスナーのテープ及び上止め部分をカバー最上部の縁取りテープの下側に重ね溶着又は縫い込む。こうすることによりスライダーをカバー最上部まで引き上げるとフックに直接接する。【０００７】スライダーは市販されているオートロック式のスライダーを使用する。
自動的にロックされファスナーはゆるむことはなく、ほとんど隙間のない状態を保つことができる。このことからスライダーがフックに直接接することによりファスナーの開口部とフック周りの隙間の閉鎖とファスナーのゆるみを防止する三つの効果を同時に行うことができる。【０００８】図３に示されるように図はカバーの前身を開いた図で、洋服を仕舞う時はハンガーに掛けた洋服の両肩をカバー内部の両肩にあて洋服をカバー内に入れ、スライダーをフックに達する所まで引き上げる。
洋服をカバーから出す時はスライダーの引手を引けばファスナーが開き洋服を出すことができる。【０００９】スライダーが直接接する方法は図２に示すごとくカバーの正面からと、図５に示すごとくカバーの側縁部から取付ける方法がある。【００１０】カバーの素材は不織布、軟質のポリプロピレン、ナイロン、紙等を用い、通気性があり虫のつきにくい素材を使用する。【００１１】図４に示すごとくカバー内上部に防虫剤、防カビ剤、乾燥剤を入れる内ポケット、及び外ポケットをつける。
【図面の簡単な説明】
【００１２】
【図１】ハンガーフックまわりの平面図
【図２】ハンガーフックまわりの斜視図
【図３】防虫カバー開き図
【図４】防虫カバー正面図
【図５】スライダー側縁部取付斜視図
【符号の説明】
【００１３】  １．防虫カバー
２．縁どりテープ
３．ハンガーフック
４．ファスナー
５．スライダー
６．引手
７．上止め
８．ファスナーテープ
９．内ポケット
１０．外ポケット
【図１】
2009022256.tif 000003
【図２】
2009022256.tif 000004
【図３】
2009022256.tif 000005
【図４】
2009022256.tif 000006
【図５】
2009022256.tif 000007
(57)【要約】      （修正有）【課題】搭載する蓄電用デバイスを極力減らして、軽量かつ安価で、さらに繰り返し使用における劣化が少なく、かつ緊急時に容易にエネルギー補給ができる電動機付２輪車を提供する。【解決手段】電力需要の少ない深夜電力にて充電された回転式電池電力貯蔵装置２を搭載した電動機付２輪車を提供する。【選択図】図１
2009022150.tif 000002
【特許請求の範囲】
【請求項１】
回転式電池電力貯蔵装置を搭載したことを特徴とする電動機付２輪車。
【発明の詳細な説明】
【技術分野】
【０００１】  本発明は、回転式電池電力貯蔵装置を搭載したことを特徴とする電動機付２輪車に関するものである。
【背景技術】
【０００２】  従来、電動機付２輪車においては、電気自動車と同様に、搭載する蓄電用デバイスの量と航続距離および緊急時のエネルギ−補給に課題があり、実用化に至っていなかった。【０００３】  近年、これらの課題を解決すべく、回転式電池電力貯蔵装置が発明されている。
【特許願１】
整理番号  Ｔ２００７０１０  提出日  平成１９年７月１日  発明者  田中  強
【特許願２】
整理番号  Ｔ２００７０１１  提出日  平成１９年７月１日  発明者  田中  強
【発明の開示】
【発明が解決しようとする課題】
【０００４】  本発明は、従来の課題を解決し、搭載する蓄電用デバイスを極力減らして、軽量かつ安価で、さらに繰り返し使用における劣化が少なく、かつ緊急時に容易にエネルギ−の補給ができる電動機付２輪車を提供する目的からなされたものである。
【課題を解決するための手段】
【０００５】  本発明は、回転式電池電力貯蔵装置を搭載したことを特徴とする電動機付２輪車であり、従来の課題を解決できたものである。
【発明の効果】
【０００６】  本発明は、電動機付２輪車の動力源として、従来の電力の貯蔵機能に加え、回転運動エネルギ−貯蔵機能をも有する回転式電池電力貯蔵装置を搭載したことにより、搭載する蓄電用デバイスが少なくなり、また緊急時のエネルギ−補給も、蓄電用デバイスへの急速充電によらずに、回転運動エネルギ−として比較的容易に貯蔵ができる電動機付２輪車を提供できたものである。【０００７】  回転式電池電力貯蔵装置に、電力需要の少ない深夜時に充電して電力を貯蔵しておくことができ、また必要に応じて回転運動エネルギ−も随時貯蔵できるものである。貯蔵されているこれらのエネルギ−を必要に応じて取り出し使用することができる。貯蔵されているエネルギ−の中で、初めに回転運動エネルギ−を取り出して使用することで効率が良くランニングコストも低減できる。【０００８】  広義の意味での電気自動車の普及は、環境保全と深夜電力有効利用の両面から強く望まれているものであり、本発明はこれに多いに貢献できるものである。
【発明を実施するための最良の形態】
【０００９】  以下、本発明の実施の形態を図面に基づき詳細に説明する。【００１０】  第１図は、本発明の実施例の構成側面図である。【００１１】  本実施例は、スク−タ−の実施例で、回転式電池電力貯蔵装置２を搭載した本発明の実施例である。実施においては、搭載する回転式電池電力貯蔵装置２の台数や搭載場所に特別の制約はなく、座席下部や後輪車の側面に搭載することも可能であるが、本図の様に低部に搭載した方が重心を低くできて安全である。【００１２】  本実施例は、一般家庭で使用できる電源プラグ６と充電器５を装備したもので、これらを用いて回転式電池電力貯蔵装置２に充電して電力を貯蔵できる。さらに出発直前に回転させて回転運動エネルギ−として貯蔵し、貯蔵されているこれらのエネルギ−を必要に応じて取り出し走行用モ−タ−３へ供給した場合の実施例である。実施においては、電源プラグ６の代りに巻き取り機能を備えたコ−ド付プラグを使用することもできる。【００１３】  貯蔵されているエネルギ−の中で、回転運動エネルギ−の電力への変換は、回転速度によって変動するので蓄電用デバイス４に蓄電し、蓄電用デバイス４を介して走行用モ−タ−３に供給した方が安定化できる。また走行距離が短く、回転運動エネルギ−が残っている場合や制動時における回性エネルギ−を蓄電用デバイス４に貯蔵し、これを利用することでエネルギ−効率を向上できる。【００１４】  電動の自動車が普及してこなかった背景には、経済的要因と技術的要因があったがもう一方で、バッテリ−切れに対する消費者の不安があった。本発明の最大の特長は、バッテリ−切れの緊急時のエネルギ−補給が、一般家庭の商用電源で可能となったことで、消費者に安心感を提供できるものである。【００１５】  本発明は、また急速充電設備を必ずしも必要としないことから、電動の自動車普及に必要とされるインフラ整備のコストを大幅に低減できるものであり、特に電動機付２輪車はエネルギ−効率が高く、騒音も排気ガスも出さない乗物であり早期の普及が望まれているが、本発明はこれに多いに貢献できるものである。
【産業上の利用可能性】
【００１６】  本発明は電動機付２輪車に限られるものではなく、電動機付自転車や電動機付３輪車にも適応できるものである。
【図面の簡単な説明】
【００１７】
【図１】  本発明の実施例の構成側面図である。
【符号の説明】
【００１８】１    電動機付２輪車
２    回転式電池電力貯蔵装置
３    走行用モ−タ−
４    蓄電用デバイス
５    充電器
６    電源プラグ
【図１】
2009022150.tif 000003